(57)【要約】【課題】簡単な構成で所望のクリック感触を得ることができ、製造も容易な押釦スイッチ用反転ばね及びこれを用いた押釦スイッチを提供する。【解決手段】基部５ｆと、上端に押圧面部５ｂを有する押圧部５ｅと、基部５ｆと押圧部５ｅとの間に屈曲可能に形成され、押圧部５ｅの押圧により座屈することでクリック感触が得られるスカート部５ａとを備え、スカート部５ａは、基部５ｆから押圧部５ｅにかけて先細状となる傾斜面で形成すると共に、傾斜面を基部５ｆ側と押圧部５ｅ側とで傾斜角度の異なる第１及び第２の傾斜面５ｇ、５ｈで形成し、第１及び第２の傾斜面５ｇ、５ｈの交差部でスカート部５ａが座屈した時のクリック感触を調整するクリック調整部５ｉを形成した。【選択図】        図４
2005032487.tif 000002
【特許請求の範囲】
【請求項１】
基部と、上端に押圧面部を有する押圧部と、前記基部と前記押圧部との間に屈曲可能に形成され、前記押圧部の押圧により座屈することでクリック感触が得られるスカート部とを備え、前記スカート部は、前記基部から前記押圧部にかけて先細状となる傾斜面で形成すると共に、前記傾斜面を前記基部側と前記押圧部側とで傾斜角度の異なる第１及び第２の傾斜面で形成し、この第１及び第２の傾斜面の交差部で前記スカート部が座屈した時のクリック感触を調整するクリック調整部を形成したことを特徴とする押釦スイッチ用反転ばね。
【請求項２】
前記スカート部は、前記基部から前記押圧部にかけて一定の厚みとなるように、前記第１及び第２の傾斜面を形成したことを特徴とする請求項１記載の押釦スイッチ用反転ばね。
【請求項３】
前記スカート部の傾斜面の傾斜角度を、前記基部側の第１の傾斜面よりも前記押圧部側の第２の傾斜面の方が大きくなるように形成したことを特徴とする請求項１、又は２記載の押釦スイッチ用反転ばね。
【請求項４】
前記スカート部の、前記第１及び第２の傾斜面の交差部の位置を、前記基部の延設部から前記押圧部の延設部までの長さに対して２０％から７０％の範囲に形成したことを特徴とする請求項１乃至３の何れかに記載の押釦スイッチ用反転ばね。
【請求項５】
請求項１乃至４の何れかに記載の反転ばねと、この反転ばねの基部を保持するハウジングと、前記ハウジングに設けられた固定接点と、前記反転ばねのスカート部の座屈によって前記固定接点と接離する可動接点とを有することを特徴とする押釦スイッチ。
【発明の詳細な説明】
【０００１】
【発明の属する技術分野】
本発明は、各種電子機器の操作用スイッチとして使用される押釦スイッチの構造に係り、特にラバースプリングを反転ばねとして用いる押釦スイッチの構造に関する。
【０００２】
【従来の技術】
従来の押釦スイッチの構造としては、固定接点が固着されたハウジングの収納部内に、固定接点に対向させて可動接点と、この可動接点を固定接点側に押圧するラバースプリングを配置し、このラバースプリングの弾発力で操作用のステムを復帰させる押釦スイッチが知られている（例えば、特許文献１参照）。
【０００３】
以下、従来の押釦スイッチの構造を図に基づいて説明する。
図６は従来の押釦スイッチの平面図、図７は従来の押釦スイッチの断面図である。
【０００４】
図において、ハウジング３１は合成樹脂などの絶縁材で上面側が開口された箱状に形成されている。このハウジング３１には下面側に収容壁部３１ｂを有する収納部３１ａが設けられており、この収納部３１ａの内底部には金属板などの導電材を屈曲して形成された一対の固定端子３２、３３が埋設されている。この一対の固定端子３２、３３の一端側はハウジング３１の内底面から表出されてそれぞれ接点部３２ａ、３３ａが形成されており、他端側はハウジング３１の外方へ導出されてそれぞれ端子部３２ｂ、３３ｂが形成されている。
【０００５】
可動接点３４は、ばね性のある導電性の薄板金属板で形成され、円環状の桟部３４ａと、その中央に一体的に切り起こされた接触片３４ｂが形成されている。前記可動接点３４は、前記桟部３４ａが前記固定端子３３の接点部３３ａに導通状態で載置され、前記接触片３４ｂが前記固定端子３２の接点部３２ａとは離間状態で対向されて配設されている。
【０００６】
ラバースプリング３５は、可撓性のあるエラストマー又はシリコーンゴムなどで形成され、外形が下面開口状のドーム形で、押圧、および復帰の際に屈曲されて弾発力が付与されるスカート部３５ａと、このスカート部３５ａの上部に形成された押圧面部３５ｂと、下部に形成された外周縁部３５ｃとからなっている。この外周縁部３５ｃが前記ハウジング３１の収納部３１ａに設けられた収容壁部３１ｂに挿入され保持されている。
【０００７】
また、前記押圧面部３５ｂの下面側には作動突部３５ｄが形成され、この作動突部３５ｄの先端が前記可動接点３４の接触片３４ｂを押圧することにより前記固定端子３２の接点部３２ａと導通させるようになっている。
【０００８】
ステム３６は、合成樹脂などの絶縁材で形成され、前記ハウジング３１の開口部に挿着されており、このステム３６の押圧突部３６ａが前記ラバースプリング３５の押圧面部３５ｂに当接されて前記ラバースプリング３５を下方に押圧するようになっている。ステム３６は、押圧された後、前記ラバースプリング３５のスカート部３５ａが屈曲して復帰する時の弾発力により初期位置に復帰されるようになっている。
【０００９】
【特許文献１】
特開２０００−２６０２５６号公報
【００１０】
【発明が解決しようとする課題】
しかしながら、上述した従来の押釦スイッチの構造においては、クリック感触の強弱を変えたラバースプリングを用意するには、ラバースプリングのスカート部の肉厚と傾斜角度の組み合わせによって調整設計するため、全体形状を大幅に変更することとなり、所望のクリック感触を得ることが難しかった。
また、スカート部にリブを設けることでクリック感触の調整を行うことも考えられるが、ラバー素材を金型で成形して製造するため、スカート部の形状を複雑にすると金型の製作や成形が煩雑になり、コスト高になるという問題があった。
【００１１】
したがって、本発明では上述した問題点を解決し、簡単な構成で所望のクリック感触を得ることができ、製造も容易な押釦スイッチ用反転ばね及びこれを用いた押釦スイッチを提供することを目的とする。
【００１２】
【課題を解決するための手段】
上記課題を解決するために本発明では第１の手段として、基部と、上端に押圧面部を有する押圧部と、前記基部と前記押圧部との間に屈曲可能に形成され、前記押圧部の押圧により座屈することでクリック感触が得られるスカート部とを備え、前記スカート部は、前記基部から前記押圧部にかけて先細状となる傾斜面で形成すると共に、前記傾斜面を前記基部側と前記押圧部側とで傾斜角度の異なる第１及び第２の傾斜面で形成し、この第１及び第２の傾斜面の交差部で前記スカート部が座屈した時のクリック感触を調整するクリック調整部を形成したことを特徴とする。
【００１３】
また、第２の手段として、前記スカート部は、前記基部から前記押圧部にかけて一定の厚みとなるように、前記第１及び第２の傾斜面を形成したことを特徴とする。
また、第３の手段として、前記スカート部の傾斜面の傾斜角度を、前記基部側の第１の傾斜面よりも前記押圧部側の第２の傾斜面の方が大きくなるように形成したことを特徴とする。
【００１４】
また、第４の手段として、前記スカート部の、前記第１及び第２の傾斜面の交差部の位置を、前記基部の延設部から前記押圧部の延設部までの長さに対して２０％から７０％の範囲に形成したことを特徴とする。
また、第５の手段として、第１乃至第４の手段の何れかに記載の反転ばねと、この反転ばねの基部を保持するハウジングと、前記ハウジングに設けられた固定接点と、前記反転ばねのスカート部の座屈によって前記固定接点と接離する可動接点とを有することを特徴とする。
【００１５】
【発明の実施の形態】
以下、本発明の押釦スイッチ用反転ばね及び押釦スイッチの１実施例を図１乃至図５に示す。図１は押釦スイッチの平面図、図２は押釦スイッチの断面図、図３は反転ばねの平面図、図４は反転ばねの断面図、図５は反転ばねの作動力特性を示す説明図である。
【００１６】
ハウジング１は、合成樹脂などの絶縁材で上面が開口された矩形状の箱形に形成されている。このハウジング１の開口内には、収納部１ａが形成されており、この収納部１ａの内底部には、黄銅などの導電性の金属材で形成された一対の固定接点２、３が、インサート成形などの方法で前記ハウジング１に一体的に成形され配設されたものとなっている。
【００１７】
また、前記ハウジング１の収納部１ａの内壁部には、対角線上の四角に後述するステム６のガイド突部６ｃが係合されるガイド溝部１ｂが設けられている。このガイド溝部１ｂを設けることにより、後述するステム６の昇降移動時に、このステム６を前記ハウジング１内に案内させ、かつ位置規制させることが可能となっている。
【００１８】
また、前記収納部１ａの下面側の内壁部には、収容壁部１ｃが形成されている。この収容壁部１ｃには、後述する反転ばね５の下端外周縁部５ｃが保持されるものとなっている。また、前記収容壁部１ｃの一部と前記ガイド溝部１ｂの一部が連接されて形成されたものとなっており、また、前記収納部１ａの前記収容壁部１ｃで囲まれた内方の内底面に対して、前記ガイド溝部１ｂの内底部の面は一段低い位置に形成されたものとなっている。
【００１９】
そして、前記ハウジング１の収容壁部１ｃの一部と前記ガイド溝部１ｂの一部が連接されて形成されており、この連接部分が、後述する反転ばね５の内面側の空間部と連通する空気流路を構成するようになっている。
【００２０】
このように、前記ハウジング１の収容壁部１ｃの一部に連接して、前記ガイド溝１ｂを形成することにより、後述する反転ばね５の内面側と連通する空気流路を形成するようにしたので、反転ばね５を押圧して反転動作を行う時に、前記ハウジング１の収容壁部１ｃと反転ばね５の下端外周縁部１ｃとが密着して保持されたとしても、反転ばね５内の空気を外部へ逃がすことができるので、反転ばね５の反転、復帰を確実に行うことができるものとなっている。
【００２１】
一対の固定接点２、３は、前記ハウジング１の内底部に埋設されており、その埋設部分の途中には複数の曲げ部が形成され、その一端側は前記ハウジング１の外方へと延設されて端子部２ａ、３ａが形成されている。また、他端側は前記ハウジング１の前記収納部１ａの前記収容壁部１ｃで囲まれた内方の内底面に表出され、一定の隙間を保持して対向して配設された一対の接点部２ｂ、３ｂが形成されたものとなっている。
【００２２】
可動接点４は、バネ性のあるリン青銅板またはステンレス鋼板などから形成され、外形が略円形で、その外側にはリング状の桟部４ａが形成されている。この桟部４ａの内側には、前記桟部４ａにその一端が接続され、その他端が一体的に切り起こされた接触片４ｄが形成されている。この接触片４ｄは、前記桟部４ａに揺動可能となるように設けられており、その先端側はやや上側に傾斜するように角度を持って屈曲されたものとなっている。
【００２３】
また、前記接触片４ｄには、後述する反転ばね５と対向する面、即ち、切り起こされ傾斜して屈曲された上側の面に、この反転ばね５と当接する当接用の突部４ｅが形成されている。この突部４ｅを設けることで接触片４ｄのほぼ中央部が押圧されることから、接触が安定する。また、下側の面には前記固定接点２の接点部２ｂと当接する複数の突部４ｆが形成されており、安定した接触が得られるものとなっている。
【００２４】
また、前記桟部４ａの下面側には、前記固定接点３側に突出された突起部４ｇが形成されている。この突起部４ｇを設けることにより、前記可動接点４が後述する反転ばね５の下面と前記固定接点３との間に挟持されて固定接点３上に載置される際、接点部３ｂと前記突起部４ｇとが当接してその周囲が密着することなく隙間が確保されるようになっている。そして、これらにより前記可動接点４は前記固定接点３と常時接触し、固定接点２とは前記接触片４ｄが接離可能に形成されスイッチの接点を構成するものである。
【００２５】
このように、前記可動接点４に前記突起部４ｇを設けることにより、反転ばね５の内面側の空間部と前記ハウジング１のガイド溝部１ｂとを連通させることができるため、前記突起部４ｇにより形成された前記可動接点４と固定接点３との隙間から、反転ばね５内の空気が確実に前記ガイド溝部１ｂへと導かれることになるので、反転ばね５の反転、復帰を確実に行うことができるものとなっている。
【００２６】
反転ばね５は、可撓性のあるエラストマーまたはシリコーンゴムなどの板材を上型と下型からなる金型で挟み込んで、加熱加圧することにより金型形状を転写することで形成され、外形が下面開口状のドーム形で、後述するステムの移動、および復帰の際に屈曲されて弾発力が付与されるスカート部５ａと、このスカート部５ａの上端側に形成された押圧面部５ｂを有する押圧部５ｅと、このスカート部５ａの下端側に形成された外周縁部５ｃを有する基部５ｆとからなっている。この基部５ｆの下端面５ｊによってハウジングへの取付基準面が形成されている。この押圧面部５ｂの下面側には作動突部５ｄが形成され、この作動突部５ｄの先端が前記可動接点４の接触片４ｄの上面側に設けられた前記突部４ｅと当接されるものとなっている。
【００２７】
また、反転ばね５は、スカート部５ａが基部５ｆから押圧部５ｅにかけて先細状となる傾斜面で形成されている。そして、この傾斜面は、スカート部５ａが前記基部５ｆから前記押圧部５ｅにかけて一定の厚みとなるように形成されている。
また、前記スカート部５ａには、前記基部５ｆ側から立ち上がる第１の傾斜面５ｇと、前記押圧部５ｅ側から下方へ下がる第２の傾斜面５ｈからなる、異なる傾斜角度を有する２つの傾斜面が形成されており、この第１の傾斜面５ｇと第２の傾斜面５ｈの交差部で前記スカート部５ａが座屈して反転した時のクリック感触を調整するクリック調整部５ｉを形成している。
【００２８】
また、前記基部５ｆ側に設けられた第１の傾斜面５ｇの前記基部５ｆの下端面５ｊからの傾斜角度αに対して、前記押圧部５ｅ側に設けられた第２の傾斜面５ｈの同じく基部５ｆの下端面５ｊからの傾斜角度βの方が、大きくなるように形成されている（図４参照）。
尚、本実施例では、傾斜角度αを６０度となるように形成し、傾斜角度βを６５度となるように構成している。また、第１及び第２の傾斜面５ｇ、５ｈの交差部は、直線状に連結されているが、円弧面で連結するようにしても良い。また、前記第１及び第２の傾斜面５ｇ、５ｈは、スカート部５ａが前記基部５ｆから前記押圧部５ｅにかけて一定の厚みとなるように形成されているが、この厚みを適宜変えて形成するようにしても良い。
【００２９】
このように、スカート部５ａの傾斜面の傾斜角度α、βを、基部５ｆ側の第１の傾斜面５ｇよりも押圧部５ｅ側の第２の傾斜面５ｈの方が大きくなるように形成したことから、直線状のスカート部に比べ、スカート部５ａの傾斜面の交差部が、初期状態で内側に突出するので、押圧時に内側の凹んだスカート部５ａを平坦状に伸ばして、更に逆向きに屈曲させる反転動作が行われるため、反転時のクリック感触を高めることができるものとなる。
【００３０】
図５は、反転ばね５の作動力特性を示すもので、縦軸は反転ばね５を押圧する荷重を、横軸は反転ばね５の撓むストロークを示している。
図において、Ｐ点はストロークが作動力のピーク位置である点（スカート部５ａが押圧されて撓んで反転するポイント）を示している。また、曲線Ａ〜Ｈは、前記第１の傾斜面５ｇと、第２の傾斜面５ｈとの交差部で形成されるクリック調整部５ｉの位置を、前記基部５ｆの延設部から前記押圧部５ｅの延設部までの長さ（高さ）Ｌで変えた場合を示しており、曲線Ａは０％（基部５ｆの根元）、曲線Ｂは２０％、曲線Ｃは４０％、曲線Ｄは５０％、曲線Ｅは６０％、曲線Ｆは７０％、曲線Ｇは８０％、曲線Ｈは１００％（押圧部５ｅの根元）をそれぞれ示している。
【００３１】
本実施例では、前記スカート部５ａに形成した傾斜面は、前記第１の傾斜面５ｇと、第２の傾斜面５ｈとの交差部で形成されるクリック調整部５ｉの位置を、前記基部５ｆの延設部から前記押圧部５ｅの延設部までの長さ（高さ）に対して、２０％から７０％の範囲に形成するようにしている。このように、２０％から７０％の範囲に第１及び第２の傾斜面５ｇ、５ｈの交差部を設けることにより、図５に示すようにスカート部５ａが座屈して反転した時のクリック感触を強める（高める）ことができるものとなる。尚、図５においては、曲線Ｃ（４０％）がベストの値を示している。
【００３２】
ステム６は、合成樹脂などの成形材で略円形状に形成され、その上面部は、人の指などで操作される平面状の押圧部６ａが設けられている。この押圧部６ａに対向する下面側には、前記反転ばね５の押圧面部５ｂ上面へ当接して、前記反転ばね５を前記可動接点４側へ屈曲させる、下面側へ突出された押圧突部６ｂが形成されている。
【００３３】
また、前記ステム６の側面部の下面側には、十字方向に突出した４個のガイド突部６ｃが形成されている。そして、前記ステム６が前記ハウジング１の収納部１ａの開口部上に挿着される時に、前記ガイド突部６ｃが前記収納部１ａの内壁部に形成された前記ガイド溝部１ｂに係合されることにより、前記ハウジング１に位置規制され、昇降移動可能に取付けられるものとなっている。
【００３４】
次に、上記構成の押釦スイッチの動作を説明する。
まず、前記ステム６の押圧部６ａが人の指などで押圧されると、前記押圧突部６ｂが前記反転ばね５の押圧面部５ｂを押圧し、スカート部５ａが座屈して撓むことにより作動突部５ｄが下方へ移動する。
【００３５】
そして、図５に実線で示すように所定のストローク移動し、作動力の荷重がピーク位置となった時、前記スカート部５ａが反転動作され前記作動突部５ｄが自走して下方に移動することになる。そして、前記作動突部５ｄが前記可動接点４の接触片４ｄの上面側の突部４ｅに当接することにより、前記可動接点４の接触片４ｄの下面側の突部４ｆが前記固定接点２と導通して接点がオン状態となる。
【００３６】
この状態から、前記ステム６の押圧が解除されると、前記ステム６は前記反転ばね５のスカート部５ａが有する弾発力によって上方へ付勢されて初期位置へ復帰する。この時、前記可動接点４の接触片４ｄも自己のバネ性によって上方へ復帰して接点がオフ状態となる。
【００３７】
この場合、前記反転ばね５のスカート部５ａには、前記基部５ｆ側から立ち上がる第１の傾斜面５ｇと、前記押圧部５ｅ側から下方へ下がる第２の傾斜面５ｈからなる、異なる傾斜角度を有する２つの傾斜面が形成されており、この第１の傾斜面５ｇと第２の傾斜面５ｈの交差部で前記スカート部５ａが座屈して反転した時のクリック感触を調整するクリック調整部５ｉが形成されたものとなっている。このクリック調整部５ｉは、ドーム状のスカート部５ａの内側へ突出された状態で形成されている。
【００３８】
このため、前記押圧突部６ｂが前記反転ばね５の押圧面部５ｂを押圧する際に、前記スカート部５ａが座屈して外側へ膨らんで反転するまでの間、前記クリック調整部５ｉによって、スカート部５ａが外側へ反転するのを抑えておく（溜めておく）ストロークが発生する。そして、このストロークの間に反転力を高める（強くする）ことが可能となり、図５に示すように、このストロークが作動力のピーク位置であるＰ点（スカート部５ａが撓んで反転するポイント）に達した時に瞬時に反転することから、高い（強い）クリック感触が得られ、操作時に所望の操作フィーリングを得ることができるものとなっている。
【００３９】
尚、この場合、前記第１の傾斜面５ｇと、第２の傾斜面５ｈとの傾斜角度を反対に、第１の傾斜面を大きくして、第２の傾斜面を小さくすることにより、互いの傾斜面が交差するクリック調整部５ｉを、ドーム状のスカート部５ａの外側へ突出した状態で形成するようにすれば、上記作動力の反転時のクリック感触を逆に弱めることができるものとなる。
このように互いの傾斜面の傾斜角度を適宜選択することによって、操作時にいろいろな操作フィーリングを得ることができるものとなっている。
【００４０】
上記した本発明の実施例によれば、反転ばね５のスカート部５ａは、基部５ｆから押圧部５ｅにかけて先細状となる傾斜面で形成すると共に、傾斜面を基部５ｆ側と押圧部５ｅ側とで傾斜角度の異なる第１及び第２の傾斜面５ｇ、５ｈで形成し、第１及び第２の傾斜面５ｇ、５ｈの交差部でスカート部５ａが座屈した時のクリック感触を調整するクリック調整部５ｉを形成するようにしたので、反転ばね５のスカート部５ａの傾斜面の傾斜角度を２段階で変更することにより、大きな形状の変更なしに、第１及び第２の傾斜面５ｇ、５ｈの交差部と、傾斜角度の組み合わせを変えるだけで、全体形状を変えずに所望のクリック感触を簡単に形成することができるものとなっている。
【００４１】
また、スカート部５ａは、基部５ｆから押圧部５ｅにかけて一定の厚みとなるように、第１及び第２の傾斜面５ｇ、５ｈを形成したことから、第１及び第２の傾斜面５ｇ、５ｈは、直線状の斜面の組み合わせで形成できるので、構成が簡単なため、金型の製作や成形が簡単になり、安価に、容易に製造することができるものとなっている。
また、前記反転ばね５を用いて押釦スイッチとして構成した場合には、簡単な構成で所望のクリック感触を得ることができ、製造も容易な押釦スイッチを提供することができるものとなる。
【００４２】
尚、上記実施例においては、矩形状の箱型に形成された合成樹脂製のハウジング１の収納部１ａ内に、金属板のばね性のある可動接点４を固定接点２、３に接離可能に対向させて配設し、この可動接点４を可撓性のある反転ばね５で押圧して接点を切り換える構成としたが、これに限らず、可動接点４の代わりに反転ばね５の作動突部５ｄの下面に、銀やカーボンなどからなる接点を形成し、直接固定接点２、３と接離させても良い。
また、ハウジング１をフェノール積層板などからなる基板で形成し、この基板の表面に固定接点を形成するようにしても良く、また、基板に複数個の固定接点を形成し、接点を有する反転ばね５を複数個配設するようにしても良い。また、反転ばね５を一枚のラバーマット上に複数個一体的に形成して基板上に配設するようにしても良い。
【００４３】
【発明の効果】
以上説明したように、本発明の押釦スイッチは、基部と、上端に押圧面部を有する押圧部と、基部と押圧部との間に屈曲可能に形成され、押圧部の押圧により座屈することでクリック感触が得られるスカート部とを備え、スカート部は、基部から押圧部にかけて先細状となる傾斜面で形成すると共に、傾斜面を基部側と押圧部側とで傾斜角度の異なる第１及び第２の傾斜面で形成し、第１及び第２の傾斜面の交差部でスカート部が座屈した時のクリック感触を調整するクリック調整部を形成したことから、反転ばねのスカート部の傾斜面の傾斜角度を２段階で変更することにより、大きな形状の変更なしに、第１及び第２の傾斜面の交差部と、傾斜角度の組み合わせを変えるだけで、全体形状を変えずに所望のクリック感触を簡単に形成することができる。
【００４４】
また、スカート部は、基部から押圧部にかけて一定の厚みとなるように、第１及び第２の傾斜面を形成したことから、第１及び第２の傾斜面は、直線状の斜面の組み合わせで形成できるので、構成が簡単なため、容易に製造することができる。
また、スカート部の傾斜面の傾斜角度を、基部側の第１の傾斜面よりも押圧部側の第２の傾斜面の方が大きくなるように形成したことから、直線状のスカート部に比べ、スカート部の傾斜面の交差部が、初期状態で内側に突出するので、内側の凹んだスカート部を平坦状に伸ばして、更に逆向きに屈曲させる反転動作が行われるため、反転時のクリック感触を高めることができる。
【００４５】
また、スカート部の、第１及び第２の傾斜面の交差部の位置を、基部の延設部から押圧部の延設部までの長さに対して２０％から７０％の範囲に形成したことから、直線状のスカート部に比べて、確実にクリック感触を高めることができるので、容易に所望のクリック感触を得ることができる。。
【００４６】
また、上記の何れかに記載の反転ばねと、この反転ばねの基部を保持するハウジングと、ハウジングに設けられた固定接点と、反転ばねのスカート部の座屈によって固定接点と接離する可動接点とを有することから、押釦スイッチとして構成した場合に、簡単な構成で所望のクリック感触を得ることができ、製造も容易な押釦スイッチを提供することができる。
【図面の簡単な説明】
【図１】本発明の一実施例である押釦スイッチを示す平面図である。
【図２】本発明の一実施例である押釦スイッチを示す断面図である。
【図３】本発明の一実施例である反転ばねを示す平面図である。
【図４】本発明の一実施例である反転ばねを示す断面図である。
【図５】本発明の反転ばねの作動力特性を示す説明図である。
【図６】従来の押釦スイッチを示す平面図である。
【図７】従来の押釦スイッチを示す断面図である。
【符号の説明】
１  ハウジング
１ａ  収納部
１ｂ  ガイド溝部
１ｃ  収納壁部
２  固定接点
２ａ  端子部
２ｂ  接点部
３  固定接点
３ａ  端子部
３ｂ  接点部
４  可動接点
４ａ  桟部
４ｄ  接触片
４ｅ，４ｆ  突部
４ｇ  突起部
５  反転ばね
５ａ  スカート部
５ｂ  押圧面部
５ｃ  外周縁部
５ｄ  作動突部
５ｅ  押圧部
５ｆ  基部
５ｇ  第１の傾斜面
５ｈ  第２の傾斜面
５ｉ  クリック調整部
６  ステム
６ａ  押圧部
６ｂ  押圧突部
６ｃ  ガイド突部
【図１】
2005032487.tif 000003
【図２】
2005032487.tif 000004
【図３】
2005032487.tif 000005
【図４】
2005032487.tif 000006
【図５】
2005032487.tif 000007
【図６】
2005032487.tif 000008
【図７】
2005032487.tif 000009